(57)【要約】【課題】本発明は、出力信号として常に明レベルがスレッシュ電圧より上側の極性のＲＦ信号を得ることができ、人為的な極性判別とピンやレジスタ等の制御手段の追加が不要となるアンプ極性切替え装置を提供することを目的とする。【解決手段】光学ピックアップより入力されたＲＦ信号ｉの電位とスレッシュ電圧ＶＲＥＦを比較する比較回路５を設け、ＲＦ信号ｉの電位がスレッシュ電圧ＶＲＥＦより上側か下側かを判断することによりＲＦ信号ｉの極性を判断し、その判断結果により正転ＲＦアンプ３ａと反転ＲＦアンプ３ｂを切替えて、出力信号ｏとして、常に明レベルがスレッシュ電圧ＶＲＥＦより上側の極性のＲＦ信号を得る構成とする。この構成によれば、自動的に出力信号ｏとして、常に明レベルが上側の極性のＲＦ信号を得ることができ、人為的な極性判別とピンやレジスタ等の制御手段の追加を不要とすることができる。【選択図】      図１
2004259359.tif 000002
【特許請求の範囲】
【請求項１】
明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、
前記光学ピックアップより出力される電気信号の極性を正転出力する正転アンプと、
前記電気信号の極性を反転出力する反転アンプと、
前記電気信号の電位と前記光学ピックアップのしきい値電圧を比較し、その比較結果により前記正転アンプと前記反転アンプの切替え制御を実行する比較回路を備え、
前記比較回路により切替えられた前記正転アンプまたは前記反転アンプより、常に明レベルがしきい値電圧よりも上側の極性の電気信号または下側の極性の電気信号の一方を出力すること
を特徴とするアンプ自動極性切替え装置。
【請求項２】
明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、
前記光学ピックアップより出力される電気信号の極性を正転出力する正転アンプと、
前記電気信号の極性を反転出力する反転アンプと、
前記電気信号の電位と前記光学ピックアップのしきい値電圧より高く設定された第１設定電圧および前記光学ピックアップのしきい値電圧より低く設定された第２設定電圧を比較し、前記電気信号の極性に応じ、前記第１設定電圧を前記光学ピックアップのしきい値電圧より低く変動し、変動された第１設定電圧と前記電気信号の電位を比較し、または前記第２設定電圧を前記光学ピックアップのしきい値電圧より高く変動し、変動された第２設定電圧と前記電気信号の電位を比較し、その比較結果により前記正転アンプと前記反転アンプの切替え制御を実行する比較回路
を備え、
前記比較回路により切替えられた前記正転アンプまたは前記反転アンプより、常に明レベルがしきい値電圧よりも上側の極性の電気信号または下側の極性の電気信号の一方を出力すること
を特徴とするアンプ自動極性切替え装置。
【請求項３】
明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、
前記光学ピックアップより出力される電気信号の極性を正転出力する正転アンプと、
前記電気信号の極性を反転出力する反転アンプと、
前記正転アンプまたは前記反転アンプの出力信号の電位と、前記光学ピックアップのしきい値電圧より低く設定した設定電圧または光学ピックアップのしきい値電圧より高く設定した設定電圧を比較し、その比較結果により前記正転アンプと前記反転アンプの切替え制御を実行する比較回路
を備え、
前記比較回路により切替えられた前記正転アンプまたは前記反転アンプより、常に明レベルがしきい値電圧よりも上側の極性の電気信号または下側の極性の電気信号の一方を出力すること
を特徴とするアンプ自動極性切替え装置。
【請求項４】
明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、
前記光学ピックアップより出力される電気信号の極性を正転出力する正転アンプと、
前記電気信号の極性を反転出力する反転アンプと、
前記正転アンプまたは前記反転アンプの出力信号の電位と前記光学ピックアップのしきい値電圧を比較し、その比較結果により前記正転アンプと前記反転アンプの切替え制御を実行する比較回路
を備え、
前記比較回路により切替えられた前記正転アンプまたは前記反転アンプより、常に明レベルがしきい値電圧よりも上側の極性の電気信号または下側の極性の電気信号の一方を出力すること
を特徴とするアンプ自動極性切替え装置。
【発明の詳細な説明】
【０００１】
【発明の属する技術分野】
本発明は、（ＲＦ）アンプ自動極性切替え装置に関するものである。
【０００２】
【従来の技術】
以下に、光ディスクや光磁気ディスクの再生を行う装置（例えば、特許文献１参照）において使用される、従来のＲＦアンプ極性切替え装置の一例を図９に基づいて説明する。
【０００３】
図９において、１は光学ピックアップ（特許文献１では、光ディスクからの反射光を受光するフォトディテクタ）から得られるＲＦ信号（電気信号）ｉを入力する入力端子、２は制御端子、３ａは制御端子２より入力される制御信号ｃによって動作／停止状態を制御され、入力端子１より入力されたＲＦ信号ｉの極性を正転出力する正転ＲＦアンプ（正転アンプ）、３ｂは制御端子２より入力される制御信号ｃによって動作／停止状態を制御され、入力端子１より入力されたＲＦ信号ｉの極性を反転出力する反転ＲＦアンプ（反転アンプ）、４はＲＦアンプ後の出力信号ｏの出力端子である。
【０００４】
以上のように構成されたＲＦアンプ極性切替え装置について、以下その動作を説明する。
光ディスクや光磁気ディスク等の記録媒体を再生する光学ピックアップには、図９のように、明レベルがスレッシュ電圧（しきい値電圧）ＶＲＥＦよりも上側の極性のＲＦ信号（Ａ）を出力する光学ピックアップと、明レベルがスレッシュ電圧ＶＲＥＦよりも下側の極性のＲＦ信号（Ｂ）を出力する光学ピックアップの２種類がある。
【０００５】
この２種類の光学ピックアップのどちらにも対応させるため、本装置の従来の構成では、まず、明レベルがスレッシュ電圧ＶＲＥＦよりも上側のＲＦ信号（Ａ）を出力する光学ピックアップを使用する場合は、制御端子２に、例えばハイ（ＨＩ）レベルの制御電圧を印可し、正転ＲＦアンプ３ａを動作状態、反転ＲＦアンプ３ｂを停止状態にして、入力端子１より入力されるＲＦ信号ｉの極性を正転にすることで、出力端子４より、明レベルがスレッシュ電圧ＶＲＥＦよりも上側の極性のＲＦ信号を出力する。
【０００６】
逆に明レベルがスレッシュ電圧ＶＲＥＦよりも下側のＲＦ信号（Ｂ）を出力するピックアップを使用する場合は、制御端子２に極性の異なる、例えばロー（ＬＯ）レベルの制御電圧を印可し、反転ＲＦアンプ３ｂを動作状態、正転ＲＦアンプ３ａを停止状態にして、入力端子１より入力されるＲＦ信号ｉの極性を反転にすることで、出力端子４より、明レベルがスレッシュ電圧ＶＲＥＦよりも上側の極性のＲＦ信号を出力する。
【０００７】
以上のように、正転、反転の２つのＲＦアンプ３ａ，３ｂを設け、制御端子２に印加する制御電圧の極性を切り替えることで、常に明レベルがスレッシュ電圧ＶＲＥＦよりも上側の極性のＲＦ信号を出力するようにしている。
【０００８】
【特許文献１】
特開２００１−２８１３４号公報
【０００９】
【発明が解決しようとする課題】
しかしながら、上記従来の構成では、人為的に光学ピックアップから得られるＲＦ信号ｉの極性を判別し、制御端子２によりＲＦアンプ３ａ，３ｂの切替えを制御する必要があり、そのために、ピンやレジスタ等の制御手段の追加が必要になるという問題を有していた。
【００１０】
本発明は、明レベルがスレッシュ電圧（しきい値電圧）ＶＲＥＦよりも上側の極性のＲＦ信号（Ａ）を出力する光学ピックアップ、または明レベルがスレッシュ電圧ＶＲＥＦよりも下側の極性のＲＦ信号（Ｂ）を出力する光学ピックアップが接続されるアンプ極性切替え装置において、光学ピックアップからの入力信号の極性を自動的に判別し、出力信号として常に明レベルが上側の極性のＲＦ信号あるいは常に明レベルが下側の極性のＲＦ信号を得ることができ、人為的な極性判別とピンやレジスタ等の制御手段の追加が不要となることを目的とする。
【００１１】
【課題を解決するための手段】
本発明のアンプ極性切替え装置は、明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、前記光学ピックアップより出力される電気信号の極性を正転出力する正転アンプと、前記電気信号の極性を反転出力する反転アンプと、前記電気信号の電位と前記光学ピックアップのしきい値電圧を比較し、その比較結果により前記正転アンプと前記反転アンプの切替え制御を実行する比較回路を備え、前記比較回路により切替えられた前記正転アンプまたは前記反転アンプより、常に明レベルがしきい値電圧よりも上側の極性の電気信号または下側の極性の電気信号の一方を出力することを特徴としたものである。
【００１２】
この本発明によれば、光学ピックアップからの入力信号の極性を自動的に判別し、出力信号として常に明レベルが上側の極性のＲＦ信号あるいは常に明レベルが下側の極性のＲＦ信号を得ることができ、人為的な極性判別とピンやレジスタ等の制御手段の追加が不要となるアンプ極性切替え装置が得られる。
【００１３】
【発明の実施の形態】
本発明の請求項１に記載の発明は、明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、前記光学ピックアップより出力される電気信号の極性を正転出力する正転アンプと、前記電気信号の極性を反転出力する反転アンプと、前記電気信号の電位と前記光学ピックアップのしきい値電圧を比較し、その比較結果により前記正転アンプと前記反転アンプの切替え制御を実行する比較回路を備え、前記比較回路により切替えられた前記正転アンプまたは前記反転アンプより、常に明レベルがしきい値電圧よりも上側の極性の電気信号または下側の極性の電気信号の一方を出力することを特徴としたものであり、
光学ピックアップより出力される電気信号の電位と光学ピックアップのしきい値電圧を比較し、その比較結果により正転アンプと反転アンプを切替えることにより、出力信号として常に明レベルがしきい値電圧よりも上側の極性の電気信号または下側の極性の電気信号の一方が得られる、という作用を有する。このように、光学ピックアップから出力される電気信号の極性を自動判別し、アンプを自動に切り替えることで、人為的な極性判別とピンやレジスタ等の制御手段の追加が不要となる。
【００１４】
また請求項２に記載の発明は、明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、前記光学ピックアップより出力される電気信号の極性を正転出力する正転アンプと、前記電気信号の極性を反転出力する反転アンプと、前記電気信号の電位と前記光学ピックアップのしきい値電圧より高く設定された第１設定電圧および前記光学ピックアップのしきい値電圧より低く設定された第２設定電圧を比較し、前記電気信号の極性に応じ、前記第１設定電圧を前記光学ピックアップのしきい値電圧より低く変動し、変動された第１設定電圧と前記電気信号の電位を比較し、または前記第２設定電圧を前記光学ピックアップのしきい値電圧より高く変動し、変動された第２設定電圧と前記電気信号の電位を比較し、その比較結果により前記正転アンプと前記反転アンプの切替え制御を実行する比較回路を備え、前記比較回路により切替えられた前記正転アンプまたは前記反転アンプより、常に明レベルがしきい値電圧よりも上側の極性の電気信号または下側の極性の電気信号の一方を出力することを特徴としたものであり、
電気信号の極性に応じ、第１設定電圧を光学ピックアップのしきい値電圧より低く変動し、変動された第１設定電圧と電気信号の電位を比較し、または第２設定電圧を光学ピックアップのしきい値電圧より高く変動し、変動された第２設定電圧と電気信号の電位を比較することにより、以後光学ピックアップより出力される電気信号に含まれるノイズにより比較結果が逆転する恐れが少なくなり、ノイズに影響されることなく、出力信号として常に明レベルがしきい値電圧よりも上側の極性の電気信号または下側の極性の電気信号の一方が得られる、という作用を有する。このように、ノイズに影響されることなく、自動的に正確な電気信号の極性の切り替えを行うことができ、人為的な極性判別とピンやレジスタ等の制御手段の追加が不要となる。
【００１５】
また請求項３に記載の発明は、明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、前記光学ピックアップより出力される電気信号の極性を正転出力する正転アンプと、前記電気信号の極性を反転出力する反転アンプと、前記正転アンプまたは前記反転アンプの出力信号の電位と、前記光学ピックアップのしきい値電圧より低く設定した設定電圧または光学ピックアップのしきい値電圧より高く設定した設定電圧を比較し、その比較結果により前記正転アンプと前記反転アンプの切替え制御を実行する比較回路を備え、前記比較回路により切替えられた前記正転アンプまたは前記反転アンプより、常に明レベルがしきい値電圧よりも上側の極性の電気信号または下側の極性の電気信号の一方を出力することを特徴としたものであり、
正転アンプまたは反転アンプの出力信号の電位と、光学ピックアップのしきい値電圧より低く設定した設定電圧または光学ピックアップのしきい値電圧より高く設定した設定電圧とを比較し、その比較結果により正転アンプと反転アンプを切替えることにより、以後、アンプ後の出力信号（光学ピックアップより出力される電気信号）に含まれるノイズにより比較結果が逆転する恐れが少なくなり、ノイズに影響されることなく、常に明レベルがしきい値電圧よりも上側の極性の電気信号または下側の極性の電気信号の一方が得られる、という作用を有する。このように、請求項２の構成と比較して１つ少ない設定電圧で、自動的にノイズに影響されない正確な電気信号の極性の切り替えを行うことができ、人為的な極性判別とピンやレジスタ等の制御手段の追加が不要となる。
【００１６】
また請求項４に記載の発明は、明レベルがしきい値電圧よりも上側の極性の電気信号を出力する光学ピックアップまたは明レベルがしきい値電圧よりも下側の極性の電気信号を出力する光学ピックアップが接続され、光ディスクや光磁気ディスクの再生を行う装置において使用されるアンプ自動極性切替え装置であって、前記光学ピックアップより出力される電気信号の極性を正転出力する正転アンプと、前記電気信号の極性を反転出力する反転アンプと、前記正転アンプまたは前記反転アンプの出力信号の電位と前記光学ピックアップのしきい値電圧を比較し、その比較結果により前記正転アンプと前記反転アンプの切替え制御を実行する比較回路を備え、前記比較回路により切替えられた前記正転アンプまたは前記反転アンプより、常に明レベルがしきい値電圧よりも上側の極性の電気信号または下側の極性の電気信号の一方を出力することを特徴としたものであり、
正転アンプまたは反転アンプの出力信号の電位と光学ピックアップのしきい値電圧を比較し、その比較結果により正転アンプと反転アンプを切替えることにより、常に明レベルがしきい値電圧よりも上側の極性の電気信号または下側の極性の電気信号の一方が得られる、という作用を有する。このように、ノイズの影響が少ない場合、アンプ後の出力信号の電位を判別することにより自動的に正確な電気信号の極性の切り替えを行うことができ、人為的な極性判別とピンやレジスタ等の制御手段の追加が不要となる。
【００１７】
以下、本発明の実施の形態を図面に基づいて説明する。なお、従来例の図９と同一の構成には同一の符号を付して説明を省略する。
（実施の形態１）
図１は本発明の実施の形態１における（ＲＦ）アンプ自動極性切替え装置の構成図である。
【００１８】
図１において、５は入力端子１より入力されたＲＦ信号（電気信号）ｉの電位と光学ピックアップのスレッシュ電圧（しきい値電圧）ＶＲＥＦを比較する比較回路であり、この比較回路５の比較結果により正転ＲＦアンプ３ａと反転ＲＦアンプ３ｂの動作／停止状態を制御し、入力端子１より入力されたＲＦ信号ｉの極性を正転／反転出力して、常に明レベルがスレッシュ電圧ＶＲＥＦよりも上側の極性のＲＦ信号を、出力信号ｏとして出力端子４へ出力するように構成されている。
【００１９】
以上のように構成されたＲＦアンプ自動極性切替え装置について、以下その動作を図２を用いて説明する。
入力端子１より入力されるＲＦ信号ｉが、明レベルがスレッシュ電圧ＶＲＥＦよりも上側の極性のＲＦ信号（Ａ）の場合は、光学ピックアップから入力され始める初期時Ｘの電位と、スレッシュ電圧ＶＲＥＦを比較回路５で比較することで、スレッシュ電圧ＶＲＥＦよりも上側の極性の信号と判別する。その判別結果により、正転ＲＦアンプ３ａを動作状態、反転ＲＦアンプ３ｂを停止状態に制御して、入力端子１より入力されるＲＦ信号ｉの極性を正転にすることで、初期時Ｘ後の出力ＲＦ信号はそのまま、すなわち明レベルがスレッシュ電圧ＶＲＥＦよりも上側の極性のＲＦ信号が出力信号ｏとして出力される。
【００２０】
逆に入力端子１より入力されるＲＦ信号が、明レベルがスレッシュ電圧ＶＲＥＦよりも下側の極性のＲＦ信号（Ｂ）の場合は、光学ピックアップから入力され始める初期時Ｘの電位と、スレッシュ電圧ＶＲＥＦを比較回路５で比較することで、スレッシュ電圧ＶＲＥＦよりも下側の極性の信号と判別する。その判別結果により、反転ＲＦアンプ３ｂを動作状態、正転ＲＦアンプ３ａを停止状態に制御して、入力端子１より入力されるＲＦ信号ｉの極性を反転にすることで、初期時Ｘ後の出力ＲＦ信号は反転され、明レベルがスレッシュ電圧ＶＲＥＦよりも上側のＲＦ信号が出力信号ｏとして出力される。
【００２１】
以上のように、入力端子１より入力されたＲＦ信号ｉの電位と、スレッシュ電圧ＶＲＥＦを比較してＲＦ信号ｉの極性を判別し、その判別結果により正転ＲＦアンプ３ａと反転ＲＦアンプ３ｂの切替えを制御する比較回路５を備えることにより、光学ピックアップから入力されるＲＦ信号ｉの極性を自動判別し、ＲＦアンプを自動的に切り替えて、常に出力信号として、明レベルがスレッシュ電圧ＶＲＥＦよりも上側のＲＦ信号を得ることができ、人為的な極性判別とピンやレジスタ等の制御手段の追加を不要とすることができる。
（実施の形態２）
上記実施の形態１の構成では、ノイズが発生した場合、比較回路５にてＲＦ信号ｉの極性を誤判別し、本来と逆のＲＦアンプを動作させ、逆極性のＲＦ信号を出力してしまい、その結果、誤ったデータを出力し、正しく再生できなくなる恐れがある。
【００２２】
図３にＲＦ信号ｉに、ノイズが発生した場合の一例を示す。図３では、明レベルがスレッシュ電圧ＶＲＥＦよりも上側の極性のＲＦ信号（Ａ）を出力するピックアップの場合を示している。
【００２３】
初期時Ｘで正転アンプ３ａを動作状態に確定した後、入力ＲＦ信号ｉにノイズが発生した場合、比較回路５にて、スレッシュ電圧ＶＲＥＦよりも下側の極性のＲＦ信号と誤判別し、反転ＲＦアンプ３ｂを動作状態に切り替えてしまい、本来出力すべき信号の極性と逆のスレッシュ電圧ＶＲＥＦよりも下側の極性のＲＦ信号を出力してしまう。
【００２４】
また、逆に明レベルがスレッシュ電圧ＶＲＥＦよりも下側の極性のＲＦ信号を出力するピックアップの場合でも、同様にＲＦ信号の極性を上側と誤判別し、本来と逆の正転ＲＦアンプ３ａを動作させ、本来出力すべき信号の極性と逆のスレッシュ電圧ＶＲＥＦよりも下側の極性のＲＦ信号を出力してしまう。
【００２５】
図４に示す本発明の実施の形態２におけるＲＦアンプ自動極性切替え装置は、上記問題になっているノイズに影響されず、正確なＲＦ信号の極性の切り替えをするため、実施の形態１の比較回路５に代えて、ヒステリシス付きの比較回路６を設けている。
【００２６】
このヒステリシス付きの比較回路６は、入力端子１より入力されたＲＦ信号の電位と、スレッシュ電圧ＶＲＥＦよりも高く上位に設定された第１設定電圧ＶＳＲ１およびスレッシュ電圧ＶＲＥＦよりも低く下位に設定された第２設定電圧ＶＳＲ２を比較し、ＲＦ信号の極性に応じ、前記第１設定電圧ＶＳＲ１をスレッシュ電圧ＶＲＥＦよりも低い下位の第１設定電圧ＶＳＲ１’へ変動し、以後この第１設定電圧ＶＳＲ１’と前記ＲＦ信号の電位を比較し、または前記第２設定電圧ＶＳＲ２をスレッシュ電圧ＶＲＥＦよりも高い上位の第２設定電圧ＶＳＲ２’へ変動し、以後この第２設定電圧ＶＳＲ２’と前記ＲＦ信号の電位を比較する。
【００２７】
以上のように構成されたＲＦアンプ自動極性切替え装置について、以下その動作を図５を用いて説明する。
まず、入力端子１より入力されるＲＦ信号ｉが、明レベルがスレッシュ電圧ＶＲＥＦよりも上側の極性のＲＦ信号（Ａ）の場合は、第１設定電圧ＶＳＲ１よりも入力信号の電位が上がった瞬間Ｘに、第１設定電圧ＶＳＲ１をスレッシュ電圧ＶＲＥＦより下位の第１設定電圧ＶＳＲ１’に下げる。ここで第１設定電圧ＶＳＲ１’はノイズに影響されない電位、たとえば、（ＶＲＥＦ−１）Ｖにする。この第１設定電圧ＶＳＲ１’とＲＦ信号の電位を比較することで、ノイズが発生しても充分、明レベルがスレッシュ電圧ＶＲＥＦよりも上側の極性のＲＦ信号と誤判別することなく判別することができ、正転ＲＦアンプ３ａを動作状態、反転ＲＦアンプ３ｂを停止状態にして、明レベルがスレッシュ電圧ＶＲＥＦよりも上側の極性のＲＦ信号を出力信号ｏとして出力する。
【００２８】
また、逆に入力端子１より入力されるＲＦ信号ｉが、明レベルがスレッシュ電圧ＶＲＥＦよりも下側の極性のＲＦ信号（Ｂ）の場合は、第２設定電圧ＶＳＲ２よりも入力信号の電位が下がった瞬間Ｙに、第２設定電圧ＶＳＲ２をスレッシュ電圧ＶＲＥＦより上位の第２設定電圧ＶＳＲ２’に上げる。ここで第２設定電圧ＶＳＲ２’はノイズに影響されない電位、たとえば、（ＶＲＥＦ＋１）Ｖにする。この第２設定電圧電圧ＶＳＲ２’とＲＦ信号の電位を比較することで、ノイズが発生しても充分、明レベルがスレッシュ電圧ＶＲＥＦよりも下側の極性のＲＦ信号と誤判別することなく判別することができ、反転ＲＦアンプ３ｂを動作状態、正転ＲＦアンプ３ａを停止状態にして、スレッシュ電圧ＶＲＥＦよりも上側の極性のＲＦ信号を出力信号ｏとして出力する。
【００２９】
以上のように、入力端子１より入力されたＲＦ信号ｉの電位と設定電圧ＶＳＲ１およびＶＳＲ２を比較し、ＲＦ信号ｉの極性に応じ、設定電圧ＶＳＲ１またはＶＳＲ２を変動し、変動された設定電圧ＶＳＲ１’またはＶＳＲ２’とＲＦ信号ｉの電位を比較することで極性を判別し、その判別結果により正転ＲＦアンプ３ａと反転ＲＦアンプ３ｂを切替え制御するヒステリシス付き比較回路６を備えることにより、初期の比較判断以後、光学ピックアップより出力されるＲＦ信号ｉに含まれるノイズにより比較結果が逆転する恐れが少なくなり、ノイズに影響されることなく、出力信号ｏとして常に明レベルがスレッシュ電圧よりも上側の極性のＲＦ信号を得ることができ、よってノイズに影響されることなく、自動的に正確なＲＦ信号の極性の切り替えを行うことができ、人為的な極性判別とピンやレジスタ等の制御手段の追加を不要とすることができる。
（実施の形態３）
図６は本発明の実施の形態３におけるＲＦアンプ自動極性切替え装置の構成図であり、実施の形態１の比較回路５に代えて比較回路７を設けて、ノイズに影響されず、正確なＲＦ信号の極性の切り替えをするための別の方法を示している。
【００３０】
比較回路７は、正転ＲＦアンプ３ａまたは反転ＲＦアンプ３ｂの出力信号（アンプ後の出力信号ｏ）の電位と、スレッシュ電圧ＶＲＥＦよりも所定電圧α低く下位に設定した設定電圧ＶＳＲ（＝ＶＲＥＦ−α）を比較回路であり、この比較回路７の比較結果により正転ＲＦアンプ３ａと反転ＲＦアンプ３ｂの動作／停止状態を制御し、入力端子１より入力されたＲＦ信号ｉの極性を正転／反転出力して、常に明レベルがスレッシュ電圧ＶＲＥＦよりも上側の極性のＲＦ信号を、出力信号ｏとして出力端子４へ出力するように構成されている。
【００３１】
以上のように構成されたＲＦアンプ自動極性切替え装置について、以下その動作を図７を用いて説明する。
まずデフォルトとして、例えば、正転ＲＦアンプ３ａを動作状態、反転ＲＦアンプ３ｂを停止状態にする。
【００３２】
ＲＦ信号を出力するピックアップとして、明レベルがスレッシュ電圧ＶＲＥＦよりも上側の極性のＲＦ信号（Ａ）を出力するピックアップを使用した場合、動作状態である正転アンプ３ａの出力信号は、上側の極性のＲＦ信号（Ｃ）となる。この場合、比較回路７にて、正転アンプ３ａの出力信号が出力され始める初期時Ｘの電位と設定電圧ＶＳＲ（＝ＶＲＥＦ−α）を比較し、設定電圧ＶＳＲより上なら、スレッシュ電圧ＶＲＥＦよりも上側の極性のＲＦ信号と判別する。スレッシュ電圧ＶＲＥＦよりも上側の出力信号という判別結果により、デフォルトの正転ＲＦアンプ３ａを動作状態、反転ＲＦアンプ３ｂを停止状態のままにすることで、初期時Ｘ後の正転ＲＦアンプ３ａの出力信号は、（Ｏ）で示すように明レベルがスレッシュ電圧ＶＲＥＦよりも上側の極性のＲＦ信号になる。この初期時Ｘ後の正転ＲＦアンプ３ａの出力信号（Ｏ）にノイズが発生しても、設定電圧ＶＳＲをノイズに影響されないレべル（＝ＶＲＥＦ−α）に下げて設定しているので、ＲＦ信号の極性を誤判別し、本来と逆の反転ＲＦアンプ３ｂを動作させる恐れは無い。
【００３３】
またＲＦ信号を出力するピックアップとして、逆に明レベルがスレッシュ電圧ＶＲＥＦよりも下側の極性のＲＦ信号（Ｂ）のピックアップを使用した場合、動作状態である正転アンプ３ａの出力信号は、下側の極性のＲＦ信号（Ｄ）となる。この場合、比較回路７にて、正転アンプ３ａの出力信号の電位と設定電圧ＶＳＲ（＝ＶＲＥＦ−α）を比較し、設定電圧ＶＳＲよりも電位が下がり出した時Ｙに、スレッシュ電圧ＶＲＥＦよりも下側の極性のＲＦ信号と判別し、ＲＦアンプをデフォルトから反転ＲＦアンプ３ｂを動作状態、正転ＲＦアンプ３ａを停止状態に切り替えることで、ＲＦアンプ切替えＹ後の反転ＲＦアンプの出力信号は、（Ｏ）で示すように明レベルがスレッシュ電圧ＶＲＥＦよりも上側の極性のＲＦ信号になる。このＲＦアンプ切替え後の反転ＲＦアンプ３ｂの出力信号（Ｏ）にノイズが発生しても、設定電圧ＶＳＲをノイズに影響されないレべル（ＶＲＥＦ−α）に下げて設定しているので、ＲＦ信号の極性を誤判別し、本来と逆の正転ＲＦアンプ３ａを動作させる恐れは無い。
【００３４】
以上のように、正転ＲＦアンプ３ａまたは反転ＲＦアンプ３ｂの出力信号の電位と設定電圧ＶＳＲ（＝ＶＲＥＦ−α）を比較して、ＲＦ信号の極性を判別する比較回路７を備え、その判別結果により、正転ＲＦアンプ３ａと反転ＲＦアンプ３ｂを切り替えることにより、以後、アンプ後の出力信号ｏ（光学ピックアップより出力されるＲＦ信号）に含まれるノイズにより比較結果が逆転する恐れが少なくなり、ノイズに影響されることなく、出力信号ｏとして常に明レベルがスレッシュ電圧よりも上側の極性のＲＦ信号を得ることができる。このように、上記実施の形態２の構成と比較して１つ少ない設定電圧で、自動的にノイズに影響されない正確なＲＦ信号の極性の切り替えを行うことができ、人為的な極性判別とピンやレジスタ等の制御手段の追加を不要とすることができる。
【００３５】
なお、実施の形態３では、出力信号ｏとして常に、明レベルがスレッシュ電圧ＶＲＥＦよりも上側の極性のＲＦ信号を得るために、設定電圧ＶＳＲを光学ピックアップのスレッシュ値電圧より低く下位に設定した電圧としているが、出力信号ｏとして常に、明レベルがスレッシュ電圧ＶＲＥＦよりも「下側」の極性のＲＦ信号を得るときには、設定電圧ＶＳＲを光学ピックアップのスレッシュ電圧より高く上位に設定した電圧（＝ＶＲＥＦ＋α）とする。このとき、ＲＦアンプ切替え後のＲＦアンプ後の出力信号ｏ（明レベルがスレッシュ電圧ＶＲＥＦよりも下側の極性のＲＦ信号）にノイズが発生しても、設定電圧ＶＳＲをノイズに影響されないレべル（ＶＲＥＦ＋α）に上げて設定しているので、ＲＦ信号の極性を誤判別し、本来と逆のＲＦアンプを動作させる恐れは無い。
（実施の形態４）
上記実施の形態３において、ノイズの発生が無く、本来と逆極性の信号を出力する恐れが無い場合は、図８に示す本発明の実施の形態４におけるＲＦアンプ自動極性切替え装置の構成のように、実施の形態３の比較回路７に代えて、設定電圧をスレッシュ電圧ＶＲＥＦとした比較回路８を設ける。
【００３６】
以上のように構成されたＲＦアンプ自動極性切替え装置についてその動作を説明する。
まず実施の形態３と同様、デフォルトとして、例えば、正転ＲＦアンプ３ａを動作状態、反転ＲＦアンプ３ｂを停止状態にする。
【００３７】
ピックアップからＲＦ信号ｉを入力し、正転アンプ３ａの出力信号が出力され始める初期時の電位とスレッシュ電圧ＶＲＥＦを比較回路８で比較し、スレッシュ電圧ＶＲＥＦよりも上なら、スレッシュ電圧ＶＲＥＦよりも上側の極性と判別し、デフォルトの正転ＲＦアンプ３ａを動作状態、反転ＲＦアンプ３ｂを停止状態のままにする。また逆にスレッシュ電圧ＶＲＥＦよりも下なら、スレッシュ電圧ＶＲＥＦよりも下側の極性と判別し、反転ＲＦアンプ３ｂを動作状態、正転ＲＦアンプ３ｂを停止状態に切り替えることにより、常に初期時後の出力端子４の出力信号を、スレッシュ電圧ＶＲＥＦよりも上側の極性のＲＦ信号として出力する。
【００３８】
以上のように、正転アンプ３ａまたは反転アンプ３ｂの出力信号の電位と光学ピックアップのスレッシュ電圧ＶＲＥＦを比較し、その比較結果により正転アンプ３ａと反転アンプ３ｂを切替えることにより、常に明レベルがスレッシュ電圧ＶＲＥＦよりも上側の極性のＲＦ信号を得ることができる。このように、ノイズの影響が少ない場合、自動的に正確なＲＦ信号の極性の切り替えを行うことができ、人為的な極性判別とピンやレジスタ等の制御手段の追加を不要とすることができる。
【００３９】
なお、上記実施の形態１〜４では、常に明レベルがスレッシュ電圧（しきい値電圧）ＶＲＥＦよりも上側の極性のＲＦ信号（電気信号）を、出力信号ｏとして出力するようにしているが、比較回路５，６，７，８による正転ＲＦアンプ３ａと反転ＲＦアンプ３ｂの切り替えを逆にすることにより、常に明レベルがしきい値電圧よりも下側の極性のＲＦ信号（電気信号）を出力信号ｏとして出力するようにすることもできる。
【００４０】
【発明の効果】
以上述べたように本発明によれば、光学ピックアップより出力される電気信号の電位と光学ピックアップのしきい値電圧を比較し、その比較結果により正転アンプと反転アンプを切替えることにより、出力信号として自動的に常に明レベルがしきい値電圧よりも上側の極性の電気信号または下側の極性の電気信号の一方を得ることができ、人為的な極性判別とピンやレジスタ等の制御手段の追加を不要にできる、という有利な効果が得られる。
【図面の簡単な説明】
【図１】本発明の実施の形態１におけるＲＦアンプ自動極性切替え装置の構成図である。
【図２】同ＲＦアンプ自動極性切替え装置の動作説明図である。
【図３】ＲＦアンプ自動極性切替え装置において、ＲＦ信号にノイズが発生した場合の一例を示す図である。
【図４】本発明の実施の形態２におけるＲＦアンプ自動極性切替え装置の構成図である。
【図５】同ＲＦアンプ自動極性切替え装置の動作説明図である。
【図６】本発明の実施の形態３におけるＲＦアンプ自動極性切替え装置の構成図である。
【図７】同ＲＦアンプ自動極性切替え装置の動作説明図である。
【図８】本発明の実施の形態４におけるＲＦアンプ自動極性切替え装置の構成図である。
【図９】従来のＲＦアンプ極性切替え装置の一例を示す図である。
【符号の説明】
１    入力端子
２    制御端子
３ａ  正転ＲＦアンプ
３ｂ  反転ＲＦアンプ
４    出力端子
５，７，８  比較回路
６    ヒステリシス付き比較回路
ｉ    入力端子へ入力されるＲＦ信号
ｏ    出力信号
【図１】
2004259359.tif 000003
【図２】
2004259359.tif 000004
【図３】
2004259359.tif 000005
【図４】
2004259359.tif 000006
【図５】
2004259359.tif 000007
【図６】
2004259359.tif 000008
【図７】
2004259359.tif 000009
【図８】
2004259359.tif 000010
【図９】
2004259359.tif 000011